(57)【要約】  本発明の実施形態に係る３次元放送サービス装置及び方法は、送信機で３次元映像を構成する左／右映像それぞれを固定放送信号あるいは移動放送信号で送信し、受信機で固定放送信号と移動放送信号を受信すれば固定放送信号と移動放送信号それぞれを２次元の固定放送サービスまたは２次元の移動放送サービスで提供したり、固定放送を介して受信する映像と移動放送を介して受信する映像を３次元映像に合成して３次元放送をサービスすることができる。
2013513280.tif 000002
【特許請求の範囲】
【請求項１】
固定放送信号に３次元映像を構成する左／右映像の１つを割り当て、移動放送信号に前記左／右映像のうち割り当てられていない映像を割り当て、前記固定放送信号、前記移動放送信号及び３次元合成のための付加情報を含む放送信号を放送する送信機と、
前記放送信号を受信すれば、前記放送信号で前記固定放送信号、移動放送信号及び前記付加情報を抽出し、前記固定放送信号を用いて２次元の固定放送サービスを提供したり、前記移動放送信号を用いて２次元の移動放送サービスを提供したり、前記固定放送信号を通じて受信する映像と前記移動放送信号を通じて受信する映像を前記付加情報を用いて３次元映像に合成して３次元の放送サービスを提供する受信機と、
を備えることを特徴とする３次元放送サービス装置。
【発明の詳細な説明】
【技術分野】
【０００１】
本発明の実施形態は３Ｄ放送サービスを提供する装置及び方法に関し、特に固定放送サービスと移動放送サービスとが混合された放送システムで３Ｄ放送サービスを提供する３次元放送サービス装置及び方法に関する。
【０００２】
本発明は、放送通信委員会のＩＴ原泉技術開発事業の一環として行った研究から導き出されたものである［課題管理番号：２００８−Ｆ−０１１−０１、課題名：超高鮮明ＴＶ及び高効率ビデオコーデック技術開発］。
【背景技術】
【０００３】
米国の地上波放送規格のＡＴＳＣは、ＲＦ送信規格で固定放送サービスのための８−ＶＳＢモードと移動放送サービスを提供することのできるＭ／Ｈモードを支援する。このような８−ＶＳＢモードとＭ／Ｈモードは、仮想チャネルの概念を導入して物理的１チャネル内（６ＭＨｚ単一チャネル）で時分割送信概念を導入し、それぞれ他のコンテンツを放送サービスできるｉｎ−ｂａｎｄ  ｍｏｂｉｌｅ  ｂｒｏａｄｃａｓｔｉｎｇの概念を有する。言い換えれば、全体データ送信率である１９．３９Ｍｂｐｓ内に固定受信サービスのための８−ＶＳＢと移動／携帯受信サービスのためのＭ／Ｈがそれぞれデータ送信のためのバンドを分けて使用し、それぞれの混合率はモードセッティング（ｍｏｄｅ  ｓｅｔｔｉｎｇ）によって可変的に調整することができる。
【０００４】
このように８−ＶＳＢモードとＭ／Ｈモードは互いに独立的に運用される。このような送信環境で３Ｄ放送サービスを施行すれば、８−ＶＳＢ、Ｍ／Ｈそれぞれに再び３Ｄ合成に必要なデータストリームを別に挿入しなければならない。結果的に、このような重複的なデータ挿入は全体的にデータ送信量を減少させてサービス映像の画質を劣化させることになる。
【発明の概要】
【発明が解決しようとする課題】
【０００５】
本発明の実施形態に係る固定放送サービスと移動放送サービスとが混合された放送システムにおいて３Ｄ放送サービスを提供する３次元放送サービス装置及び方法を提案する。
【０００６】
本発明の実施形態に係る固定放送を介して３次元映像を構成する左／右映像の中の１つを送信し、移動放送を介して左／右映像のうち固定放送で送信しない映像を送信する送信機を含む３次元放送サービス装置及び方法を提案する。
【０００７】
本発明の実施形態に係る固定放送を介して３次元映像を構成する左／右映像の１つを受信し、移動放送を介して左／右映像のうち固定放送で送信しない映像を受信する受信機を含む３次元放送サービス装置及び方法を提案する。
【０００８】
本発明の実施形態に係る固定放送を介して受信する映像と移動放送を介して受信する映像を合成し、３次元放送をサービスする３次元放送サービス装置及び方法を提案する。
【課題を解決するための手段】
【０００９】
本発明の実施形態に係る３次元放送サービス装置は、固定放送信号に３次元映像を構成する左／右映像の１つを割り当て、移動放送信号に前記左／右映像のうち割り当てられていない映像を割り当て、前記固定放送信号、前記移動放送信号及び３次元合成のための付加情報を含む放送信号を放送する送信機と、前記放送信号を受信すれば、前記放送信号で前記固定放送信号、移動放送信号及び前記付加情報を抽出し、前記固定放送信号を用いて２次元の固定放送サービスを提供したり、前記移動放送信号を用いて２次元の移動放送サービスを提供したり、前記固定放送信号を通じて受信する映像と前記移動放送信号を通じて受信する映像を前記付加情報を用いて３次元映像に合成して３次元の放送サービスを提供する受信機とを備える。
【発明の効果】
【００１０】
本発明は、送信機で３次元映像を構成する左／右映像それぞれを固定放送信号あるいは移動放送信号で送信し、受信機で固定放送信号と移動放送信号を受信すれば、固定放送信号と移動放送信号それぞれを２次元の固定放送サービスまたは２次元の移動放送サービスで提供したり、固定放送を介して受信する映像と移動放送を介して受信する映像を３次元映像に合成して３次元放送をサービスする装置及び方法に関し、固定放送信号と移動放送信号それぞれは２次元放送サービスを支援し、固定放送信号と移動放送信号の合成によって３次元放送サービスを支援することから、送信効率を高めることができる。
【図面の簡単な説明】
【００１１】
【図１】本発明の実施形態に係る３次元放送サービス装置で３次元放送を送信する送信機の構造を示す図である。
【図２】本発明の実施形態に係る３次元放送サービス装置で３次元放送を受信する受信機の構造を示す図である。
【発明を実施するための形態】
【００１２】
以下、本発明の実施形態を添付する図面を参照しながら詳細に説明する。
【００１３】
本発明の実施形態に係る３次元放送サービス装置及び方法は、３次元映像を構成する左／右映像それぞれを固定放送信号あるいは移動放送信号で送信し、固定放送信号と移動放送信号を受信すれば、固定放送信号と移動放送信号それぞれを２次元の固定放送サービスまたは２次元の移動放送サービスで提供したり、固定放送を介して受信する映像と移動放送を介して受信する映像を３次元映像に合成することで３次元放送をサービスする装置及び方法に関する。
【００１４】
図１は、本発明の実施形態に係る３次元放送サービス装置で３次元放送を送信する送信機の構造を示す図である。
【００１５】
図１を参照すれば、送信機は３Ｄ  Ａ／Ｖ取得部１１０、固定放送Ａ／Ｖエンコーダ部１２０、移動放送Ａ／Ｖエンコーダ部１３０、パケット化部１４０、パケット多重化部１５０、及び変調部１６０を備える。
【００１６】
３Ｄ  Ａ／Ｖ取得部１１０は、３次元放送に必要な３次元映像とオーディオ信号を取得する。３次元映像は３次元効果のための左／右映像に区分されてもよく、２つのカメラを有する３次元カメラで撮影されてもよい。
【００１７】
３Ｄ  Ａ／Ｖ取得部１１０は、３次元映像を構成する左／右映像の１つとオーディオ信号を固定放送信号で固定放送Ａ／Ｖエンコーダ部１２０に送信する。そして、３Ｄ  Ａ／Ｖ取得部１１０は、左／右映像のうち残りの１つとオーディオ信号を移動放送信号で移動放送Ａ／Ｖエンコーダ部１３０に送信する。
【００１８】
固定放送Ａ／Ｖエンコーダ部１２０は、３Ｄ  Ａ／Ｖ取得部１１０から受信する固定放送信号のオーディオ信号と映像を圧縮符号化してパケット化部１４０に送信する。
【００１９】
移動放送Ａ／Ｖエンコーダ部１３０は、３Ｄ  Ａ／Ｖ取得部１１０から受信する移動放送信号のオーディオ信号と映像を圧縮符号化してパケット化部１４０に送信する。
【００２０】
パケット化部１４０は、符号化された固定放送信号または符号化された移動放送信号に３次元合成のための付加情報を挿入し、ＰＥＳ、ＴＳ、ＩＰなどで送信のためにパケット化してパケット多重化部１５０に送信する。
【００２１】
パケット多重化部１５０は、固定放送信号パケットと移動放送信号パケットを多重化して変調部１６０に送信する。
【００２２】
変調部１６０は多重化されたパケットを変調し、変調した多重化されたパケットを放送信号として放送する。
【００２３】
図２は、本発明の実施形態に係る３次元放送サービス装置で３次元放送を受信する受信機の構造を示す図である。
【００２４】
図２を参照すれば、受信機は、復調部２１０、固定放送逆多重化部２２０、固定放送Ａ／Ｖデコーダ部２２２、移動放送逆多重化部２３０、移動放送Ａ／Ｖデコーダ部２３２、３Ｄ放送逆多重化部２４０、３Ｄ放送Ａ／Ｖデコーダ部２４２、及び３Ｄ合成部２４４を備える。
【００２５】
復調部２１０は、送信機で放送する放送信号を受信すれば、放送信号を復調する。
【００２６】
固定放送逆多重化部２２０は、復調された放送信号を逆多重化して固定放送信号を抽出して固定放送Ａ／Ｖデコーダ部２２２に送信する。
【００２７】
固定放送Ａ／Ｖデコーダ部２２２は、固定放送信号に含まれたオーディオ信号と映像信号を復号化して２次元移動放送に出力する。ここで、固定放送信号に含まれた映像信号は３次元映像を構成する左／右映像の１つである。
【００２８】
移動放送逆多重化部２３０は、復調された放送信号を逆多重化して移動放送信号を抽出し、移動放送Ａ／Ｖデコーダ部２３２に送信する。
【００２９】
移動放送Ａ／Ｖデコーダ部２３２は、移動放送信号に含まれたオーディオ信号と映像信号を復号化して２次元固定放送に出力する。ここで、移動放送信号に含まれた映像信号は３次元映像を構成する左／右映像の１つであり、固定放送信号に含まれた映像と異なる映像である。すなわち、固定放送信号に左側映像を含んでいれば、移動放送信号には右側映像が含まれる。
【００３０】
３Ｄ放送逆多重化部２４０は、復調された放送信号を逆多重化して固定放送信号、移動放送信号、及び３次元合成のための付加情報を抽出する。
【００３１】
３Ｄ放送Ａ／Ｖデコーダ部２４２は、固定放送信号と移動放送信号に含まれたオーディオ信号と映像信号を復号化する。ここで、固定放送信号と移動放送信号はそれぞれ３次元映像を構成する左／右映像の１つを含み、また、固定放送信号と移動放送信号に含まれた映像は互いに異なる映像である。
【００３２】
３Ｄ合成部２４４は、固定放送信号よって受信する映像と移動放送信号を介して受信する映像を付加情報を用いて３次元映像に合成し、３次元映像とオーディオ信号を３次元放送で出力する。
【００３３】
本発明の放送システムは、固定放送サービスと移動放送サービスが混合された放送システムにおいて、固定放送サービスと移動放送サービスが混合された組合の例として、固定放送を８−ＶＳＢ（８−Ｖｅｓｔｉｇｉａｌ  Ｓｉｄｅ  Ｂａｎｄ）とし、移動放送をＡＴＳＣ  Ｍ／Ｈ（Ａｄｖａｎｃｅｄ  Ｔｅｌｅｖｉｓｉｏｎ  Ｓｙｓｔｅｍｓ  Ｃｏｍｍｉｔｔｅｅ−Ｍｏｂｉｌｅ／Ｈａｎｄｈｅｌｄ）とする組合が適用可能であり、固定放送をＤＶＢ−Ｔ（Ｄｉｇｉｔａｌ  Ｖｉｄｅｏ  Ｂｒｏａｄｃａｓｔｉｎｇ−Ｔｅｒｒｅｓｔｒｉａｌ）とし、移動放送をＤＶＢ−Ｈ（Ｄｉｇｉｔａｌ  Ｖｉｄｅｏ  Ｂｒｏａｄｃａｓｔｉｎｇ−Ｈａｎｄｈｅｌｄ）とする組合が適用可能であり、固定放送をＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）とし、移動放送をｏｎｅ−ｓｅｇとする組合などが適用可能である。
【００３４】
本発明の実施形態に係る方法は、多様なコンピュータ手段を介して様々な処理を実行することができるプログラム命令の形態で実現され、コンピュータ読取可能な記録媒体に記録されてもよい。コンピュータ読取可能な媒体は、プログラム命令、データファイル、データ構造などの単独または組み合わせたものを含んでもよい。媒体に記録されるプログラム命令は、本発明の目的のために特別に設計されて構成されたものでもよく、コンピュータソフトウェア分野の技術を有する当業者にとって公知のものであり使用可能なものであってもよい。
【００３５】
上述したように本発明を限定された実施形態と図面によって説明したが、本発明は、上記の実施形態に限定されることなく、本発明が属する分野における通常の知識を有する者であれば、このような実施形態から多様な修正及び変形が可能である。
【００３６】
したがって、本発明の範囲は、開示された実施形態に限定して定められるものではなく、特許請求の範囲だけではなく特許請求の範囲と均等なものなどによって定められるものである。
【符号の説明】
【００３７】
２１０      復調部
２２０      固定放送逆多重化部
２２２      固定放送Ａ／Ｖデコーダ部
２３０      移動放送逆多重化部
２３２      移動放送Ａ／Ｖデコーダ部
２４０      ３Ｄ放送逆多重化部
２４２      ３Ｄ放送Ａ／Ｖデコーダ部
２４４      ３Ｄ合成部
【図１】
2013513280.tif 000003
【図２】
2013513280.tif 000004
【手続補正書】
【提出日】平成24年8月13日(2012.8.13)
【手続補正１】
【補正対象書類名】明細書
【補正対象項目名】０００９
【補正方法】変更
【補正の内容】
【０００９】
本発明の実施形態に係る放送システムの送信機は、第１映像と第２映像で構成された前記３次元映像とオーディオ信号を受信する３Ｄ  Ａ／Ｖ取得部と、前記３次元映像の前記第１映像と前記オーディオ信号を圧縮符号化して符号化された固定放送信号を生成する固定放送Ａ／Ｖエンコーダ部と、前記３次元映像の前記第２映像と前記オーディオ信号を圧縮符号化して符号化された移動放送信号を生成する移動放送Ａ／Ｖエンコーダ部と、前記符号化された固定放送信号または前記符号化された移動放送信号に３次元合成のための付加情報を挿入してパケット化し、固定放送信号パケットと移動放送信号パケットを生成するパケット化部と、前記固定放送信号パケットと前記移動放送信号パケットを多重化して多重化されたパケットを生成するパケット多重化部と、前記多重化されたパケットを変調し、変調した多重化されたパケットを放送信号として放送する変調部とを備える。
本発明の実施形態に係る３次元放送サービス装置は、固定放送信号に３次元映像を構成する左／右映像の１つを割り当て、移動放送信号に前記左／右映像のうち割り当てられていない映像を割り当て、前記固定放送信号、前記移動放送信号及び３次元合成のための付加情報を含む放送信号を放送する送信機と、前記放送信号を受信すれば、前記放送信号で前記固定放送信号、移動放送信号及び前記付加情報を抽出し、前記固定放送信号を用いて２次元の固定放送サービスを提供したり、前記移動放送信号を用いて２次元の移動放送サービスを提供したり、前記固定放送信号を通じて受信する映像と前記移動放送信号を通じて受信する映像を前記付加情報を用いて３次元映像に合成して３次元の放送サービスを提供する受信機とを備える。
【手続補正２】
【補正対象書類名】特許請求の範囲
【補正対象項目名】全文
【補正方法】変更
【補正の内容】
【特許請求の範囲】
【請求項１】
第１映像と第２映像で構成された前記３次元映像とオーディオ信号を受信する３Ｄ  Ａ／Ｖ取得部と、
前記３次元映像の前記第１映像と前記オーディオ信号を圧縮符号化して符号化された固定放送信号を生成する固定放送Ａ／Ｖエンコーダ部と、
前記３次元映像の前記第２映像と前記オーディオ信号を圧縮符号化して符号化された移動放送信号を生成する移動放送Ａ／Ｖエンコーダ部と、
前記符号化された固定放送信号または前記符号化された移動放送信号に３次元合成のための付加情報を挿入してパケット化し、固定放送信号パケットと移動放送信号パケットを生成するパケット化部と、
前記固定放送信号パケットと前記移動放送信号パケットを多重化して多重化されたパケットを生成するパケット多重化部と、
前記多重化されたパケットを変調し、変調した多重化されたパケットを放送信号として放送する変調部と、
を備えることを特徴とする放送システムの送信機。
【請求項２】
前記第１映像は、前記３次元映像を構成する左側映像または右側映像のうちの１つであり、
前記第１映像が左側映像であれば前記第２映像は右側映像であり、前記第１映像が右側映像であれば、前記第２映像は左側映像であることを特徴とする請求項１に記載の放送システムの送信機。
【請求項３】
送信機で放送する放送信号を受信して復調する復調部と、
固定放送信号と移動放送信号を含む復調された放送信号を逆多重化して前記固定放送信号を抽出する固定放送逆多重化部と、
前記固定放送信号に含まれたオーディオ信号と第１映像信号を復号化して２次元固定放送で出力する固定放送Ａ／Ｖデコーダ部と、
を含むことを特徴とする２次元の固定放送を出力する放送システムの受信機。
【請求項４】
前記第１映像は、前記３次元映像を構成する左側映像または右側映像のうちの１つであり、
前記第１映像が左側映像であれば前記移動放送信号に含まれた第２映像は右側映像であり、前記第１映像が右側映像であれば前記移動放送信号に含まれた前記第２映像は左側映像であることを特徴とする請求項３に記載の２次元の固定放送を出力する放送システムの受信機。
【請求項５】
送信機で放送する放送信号を受信して復調する復調部と、
固定放送信号と移動放送信号を含む前記復調された放送信号を逆多重化して前記移動放送信号を抽出する移動放送逆多重化部と、
前記移動放送信号に含まれたオーディオ信号と第２映像信号を復号化して２次元移動放送で出力する移動放送Ａ／Ｖデコーダ部と、
を備えることを特徴とする２次元の移動放送を出力する放送システムの受信機。
【請求項６】
前記第２映像は、前記３次元映像を構成する左側映像または右側映像のうちの１つであり、
前記第２映像が左側映像であれば前記固定放送信号に含まれた第１映像は右側映像であり、前記第２映像が右側映像であれば前記固定放送信号に含まれた前記第１映像は左側映像であることを特徴とする請求項５に記載の２次元の移動放送を出力する放送システムの受信機。
【請求項７】
送信機で放送する放送信号を受信して復調する復調部と、
前記復調された放送信号を逆多重化して固定放送信号、移動放送信号、及び３次元合成のための付加情報を抽出する３Ｄ放送逆多重化部と、
前記固定放送信号と前記移動放送信号に含まれたオーディオ信号、第１映像信号及び第２映像信号を復号化する３Ｄ放送Ａ／Ｖデコーダ部と、
前記第１映像信号と前記第２映像信号を前記付加情報を用いて３次元映像に合成し、３次元映像とオーディオ信号を３次元放送で出力する３Ｄ合成部と、
を備えることを特徴とする３次元放送を出力する放送システムの受信機。
【請求項８】
前記固定放送信号は前記第１映像信号と前記オーディオ信号を含み、
前記移動放送信号は前記第２映像信号と前記オーディオ信号を含むことを特徴とする請求項７に記載の３次元放送を出力する放送システムの受信機。
【請求項９】
前記第１映像は、前記３次元映像を構成する左側映像または右側映像のうちの１つであり、
前記第１映像が左側映像であれば前記第２映像は右側映像であり、前記第１映像が右側映像であれば前記第２映像は左側映像であることを特徴とする請求項７に記載の３次元放送を出力する放送システムの受信機。
【国際調査報告】
2013513280.tif 000005
2013513280.tif 000006
2013513280.tif 000007
2013513280.tif 000008